【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
交換レンズを着脱可能な撮像装置であって、
前記交換レンズとデータ通信を行うための第１の端子および第２の端子と、
装着された交換レンズとのデータ通信を制御する制御手段を有し、
前記制御手段は、前記第１の端子と前記第２の端子の一方をデータ送信用に、もう一方をデータ受信用に設定して双方向通信を行う第１の通信モードと、前記第１の端子と前記第２の端子の両方を一方向のデータ通信用に設定して一方向の通信を行う第２の通信モードとを切り替えることを特徴とする撮像装置。
【請求項２】
前記制御手段から前記交換レンズへ送信される所定のコマンドに応じて、前記第１の通信モードから前記第２の通信モードへ切り替えられることを特徴とする請求項１に記載の撮像装置。
【請求項３】
前記制御手段は、前記所定のコマンドの送信後に行うデータ通信において、前記交換レンズから送信されるデータ量が前記交換レンズに送信するデータ量より多い場合、前記第２の通信モードにおいて前記第１の端子と前記第２の端子の両方をデータ受信用に設定して一方向の通信を行うことを特徴とする請求項２に記載の撮像装置。
【請求項４】
前記制御手段は、前記所定のコマンドに応じて、前記交換レンズに送信するデータ量を示す第１の情報を前記交換レンズに送信するとともに、前記交換レンズから送信されるデータ量を示す第２の情報を前記交換レンズから受信することを特徴とする請求項２または３に記載の撮像装置。
【請求項５】
前記制御手段は、前記第２の通信モードにおいて、前記第１の情報と前記第２の情報に基づいて、通信するデータ量が多い方向への通信を優先して行うことを特徴とする請求項４に記載の撮像装置。
【請求項６】
前記制御手段は、前記第２の通信モードにおいて、前記交換レンズから送信されるデータ量が前記交換レンズに送信するデータ量より多い場合、前記第１の端子と前記第２の端子をデータ受信用に設定し、前記交換レンズから送信されるデータ量が前記交換レンズに送信するデータ量より少ない場合、前記第１の端子と前記第２の端子をデータ送信用に設定することを特徴とする請求項４または５に記載の撮像装置。
【請求項７】
クロック信号を出力可能な第３の端子をさらに有し、
前記制御手段は、前記クロック信号に基づいて前記交換レンズとデータ通信を行う同期式通信において、前記第１の通信モードでは、前記第１の端子と前記第２の端子を用いて双方向通信を行い、前記第２の通信モードでは、前記第１の端子と前記第２の端子を用いて、通信するデータ量が多い方向への通信を優先して行うことを特徴とする請求項１乃至６のいずれか１項に記載の撮像装置。
【請求項８】
クロック信号を出力可能な第３の端子をさらに有し、
前記制御手段は、前記クロック信号に基づいて前記交換レンズとデータ通信を行う同期式通信と、前記クロック信号を用いずに前記交換レンズとデータ通信を行う非同期式通信を切り替え可能であることを特徴とする請求項１乃至６のいずれか１項に記載の撮像装置。
【請求項９】
前記制御手段は、前記同期式通信において、前記第１の通信モードで前記交換レンズとデータを通信し、前記非同期式通信に切り替えた場合、前記第１の通信モードと前記第２の通信モードとを切り替えて前記交換レンズとデータを通信可能であることを特徴とする請求項８に記載の撮像装置。
【請求項１０】
前記制御手段は、前記非同期式通信において、前記第２の通信モードで前記交換レンズとデータ通信を行う場合、前記３つの端子のうち２つ以上の端子を、通信するデータ量が多い方向への通信用に設定することを特徴とする請求項８または９に記載の撮像装置。
【請求項１１】
前記制御手段は、前記非同期式通信において、前記第２の通信モードで前記交換レンズとデータ通信を行う場合、通信するデータ量が多い第１の方向に前記３つの端子のうち２つの端子を設定し、通信するデータ量が少ない第２の方向に前記３つの端子のうち残り１つの端子を設定し、該第２の方向へのデータ通信完了後、前記第１の方向へ通信するデータが存在する場合は、前記３つの端子全てを該第１の方向へのデータ通信用に設定することを特徴とする請求項１０に記載の撮像装置。
【請求項１２】
前記制御手段は、所定のコマンド単位で前記交換レンズとデータ通信を行うことを特徴とする請求項１乃至１１のいずれか１項に記載の撮像装置。
【請求項１３】
撮像装置に着脱可能な交換レンズであって、
前記撮像装置とデータ通信を行うための第１のレンズ端子および第２のレンズ端子と、
装着された撮像装置とのデータ通信を制御するレンズ制御手段を有し、
前記レンズ制御手段は、前記第１のレンズ端子と前記第２のレンズ端子の一方をデータ送信用に、もう一方をデータ受信用に設定して双方向通信を行う第１の通信モードと、前記第１のレンズ端子と前記第２のレンズ端子の両方を一方向のデータ通信用に設定して一方向の通信を行う第２の通信モードとを切り替えることを特徴とする交換レンズ。
【請求項１４】
前記撮像装置から送信される所定のコマンドに応じて、前記第１の通信モードから前記第２の通信モードへ切り替えられることを特徴とする請求項１３に記載の交換レンズ。
【請求項１５】
前記レンズ制御手段は、前記所定のコマンドの受信後に行うデータ通信において、前記撮像装置に送信するデータ量が前記撮像装置から送信されるデータ量より多い場合、前記第２の通信モードにおいて前記第１のレンズ端子と前記第２のレンズ端子の両方をデータ送信用に設定して一方向の通信を行うことを特徴とする請求項１４に記載の交換レンズ。
【請求項１６】
前記レンズ制御手段は、前記所定のコマンドに応じて、前記撮像装置から送信されるデータ量を示す第１の情報を前記撮像装置から受信するとともに、前記撮像装置に送信するデータ量を示す第２の情報を前記撮像装置に送信することを特徴とする請求項１４または１５に記載の交換レンズ。
【請求項１７】
前記第２の通信モードにおいて、前記第１の情報と前記第２の情報に基づいて、通信するデータ量が多い方向への通信を優先して行うように、前記撮像装置により通信の方向が決定されることを特徴とする請求項１６に記載の交換レンズ。
【請求項１８】
前記レンズ制御手段は、前記第２の通信モードにおいて、前記撮像装置に送信するデータ量が前記撮像装置から送信されるデータ量より多い場合、前記第１のレンズ端子と前記第２のレンズ端子をデータ送信用に設定し、前記撮像装置に送信するデータ量が前記撮像装置から送信されるデータ量より少ない場合、前記第１のレンズ端子と前記第２のレンズ端子をデータ受信用に設定することを特徴とする請求項１６または１７に記載の交換レンズ。
【請求項１９】
クロック信号が入力される第３のレンズ端子をさらに有し、
前記レンズ制御手段は、前記クロック信号に基づいて前記撮像装置とデータ通信を行う同期式通信において、前記第１の通信モードでは、前記第１のレンズ端子と前記第２のレンズ端子を用いて双方向通信を行い、前記第２の通信モードでは、前記第１のレンズ端子と前記第２のレンズ端子を用いて、通信するデータ量が多い方向への通信を優先して行うことを特徴とする請求項１３乃至１８のいずれか１項に記載の交換レンズ。
【請求項２０】
クロック信号が入力される第３のレンズ端子をさらに有し、
前記レンズ制御手段は、前記クロック信号に基づいて前記撮像装置とデータ通信を行う同期式通信と、前記クロック信号を用いずに前記撮像装置とデータ通信を行う非同期式通信を切り替え可能であることを特徴とする請求項１３乃至１８のいずれか１項に記載の交換レンズ。
【請求項２１】
前記レンズ制御手段は、前記同期式通信において、前記第１の通信モードで前記撮像装置とデータを通信し、前記非同期式通信に切り替えた場合、前記第１の通信モードと前記第２の通信モードとを切り替えて前記撮像装置とデータを通信可能であることを特徴とする請求項２０に記載の交換レンズ。
【請求項２２】
前記レンズ制御手段は、前記非同期式通信において、前記第２の通信モードで前記撮像装置とデータ通信を行う場合、前記３つの端子のうち２つ以上の端子を、通信するデータ量が多い方向への通信用に設定することを特徴とする請求項２０または２１に記載の交換レンズ。
【請求項２３】
前記レンズ制御手段は、前記非同期式通信において、前記第２の通信モードで前記撮像装置とデータ通信を行う場合、通信するデータ量が多い第１の方向に前記３つの端子のうち２つの端子を設定し、通信するデータ量が少ない第２の方向に前記３つの端子のうち残り１つの端子を設定し、該第２の方向へのデータ通信完了後、前記第１の方向へ通信するデータが存在する場合は、前記３つの端子全てを該第１の方向へのデータ通信用に設定することを特徴とする請求項２２に記載の交換レンズ。
【請求項２４】
前記レンズ制御手段は、所定のコマンド単位で前記撮像装置とデータ通信を行うことを特徴とする請求項１３乃至２３のいずれか１項に記載の交換レンズ。
【請求項２５】
交換レンズを着脱可能な撮像装置と、該撮像装置に装着される交換レンズとを有し、第１の端子と第２の端子を介して前記撮像装置と前記交換レンズとが通信可能な撮像装置システムであって、
前記第１の端子と前記第２の端子の一方を前記撮像装置から前記交換レンズへのデータ送信用に、もう一方を前記交換レンズから前記撮像装置へのデータ送信用に設定して双方向通信を行う第１の通信モードと、前記第１の端子と前記第２の端子の両方を一方向のデータ通信用に設定して一方向の通信を行う第２の通信モードとを切り替えることを特徴とする撮像装置システム。
【手続補正２】
【補正対象書類名】明細書
【補正対象項目名】発明の名称
【補正方法】変更
【補正の内容】
【発明の名称】撮像装置、交換レンズ及び撮像装置システム
【手続補正３】
【補正対象書類名】明細書
【補正対象項目名】０００５
【補正方法】変更
【補正の内容】
【０００５】
上記目的を達成するために、本発明に係る撮像装置は、交換レンズを着脱可能であって、前記交換レンズとデータ通信を行うための第１の端子および第２の端子と、装着された交換レンズとのデータ通信を制御する制御手段を有し、前記制御手段は、前記第１の端子と前記第２の端子の一方をデータ送信用に、もう一方をデータ受信用に設定して双方向通信を行う第１の通信モードと、前記第１の端子と前記第２の端子の両方を一方向のデータ通信用に設定して一方向の通信を行う第２の通信モードとを切り替えることを特徴とする。
【手続補正４】
【補正対象書類名】明細書
【補正対象項目名】０００６
【補正方法】変更
【補正の内容】
【０００６】
また、本発明に係る交換レンズは、撮像装置に着脱可能であって、前記撮像装置とデータ通信を行うための第１のレンズ端子および第２のレンズ端子と、装着された撮像装置とのデータ通信を制御するレンズ制御手段を有し、前記レンズ制御手段は、前記第１のレンズ端子と前記第２のレンズ端子の一方をデータ送信用に、もう一方をデータ受信用に設定して双方向通信を行う第１の通信モードと、前記第１のレンズ端子と前記第２のレンズ端子の両方を一方向のデータ通信用に設定して一方向の通信を行う第２の通信モードとを切り替えることを特徴とする。
【手続補正５】
【補正対象書類名】明細書
【補正対象項目名】０００７
【補正方法】変更
【補正の内容】
【０００７】
また、本発明に係る撮像装置システムは、交換レンズを着脱可能な撮像装置と、該撮像装置に装着される交換レンズとを有し、第１の端子と第２の端子を介して前記撮像装置と前記交換レンズとが通信可能であって、前記第１の端子と前記第２の端子の一方を前記撮像装置から前記交換レンズへのデータ送信用に、もう一方を前記交換レンズから前記撮像装置へのデータ送信用に設定して双方向通信を行う第１の通信モードと、前記第１の端子と前記第２の端子の両方を一方向のデータ通信用に設定して一方向の通信を行う第２の通信モードとを切り替えることを特徴とする。